(57)【要約】  少なくとも二箇所の継ぎ目に沿って継ぎ合わされた本体パネルを含むリバーシブルな衣服。
2007504367.tif 000002
【特許請求の範囲】
【請求項１】
少なくとも二つの継ぎ目に沿い接合した少なくとも三つのボディーパネルを含むリバーシブルな衣服。
【請求項２】
少なくとも三つのボディーパネルの少なくとも二つは異なる切断面を有する請求項1記載のリバーシブルな衣服。
【請求項３】
少なくとも三つのボディーパネルの少なくとも一つは、異なる外観のサイドを有する請求項1記載のリバーシブルな衣服。
【請求項４】
少なくとも三つのボディーパネルの少なくとも一つは、異なる外観のサイドを有する請求項２記載のリバーシブルな衣服。
【請求項５】
前記衣服が、上面にある請求項1記載のリバーシブルな衣服。
【請求項６】
前記衣服が、上面にある請求項２記載のリバーシブルな衣服。
【請求項７】
前記衣服が、上面にある請求項３記載のリバーシブルな衣服。
【請求項８】
前記衣服が、上面にある請求項４記載のリバーシブルな衣服。
【請求項９】
少なくとも三つのボディーパネルは、サイドの継ぎ目により接合される請求項１記載のリバーシブルな衣服。
【請求項１０】
少なくとも三つのボディーパネルは、サイドの継ぎ目により接合される請求項２記載のリバーシブルな衣服。
【請求項１１】
少なくとも三つのボディーパネルは、サイドの継ぎ目により接合される請求項３記載のリバーシブルな衣服。
【請求項１２】
少なくとも三つのボディーパネルは、サイドの継ぎ目により接合される請求項４記載のリバーシブルな衣服。
【請求項１３】
少なくとも三つのボディーパネルは、サイドの継ぎ目により接合される請求項７記載のリバーシブルな衣服。
【請求項１４】
少なくとも三つのボディーパネルは、サイドの継ぎ目により接合される請求項６記載のリバーシブルな衣服。
【請求項１５】
少なくとも三つのボディーパネルは、サイドの継ぎ目により接合される請求項７記載のリバーシブルな衣服。
【請求項１６】
少なくとも三つのボディーパネルはサイドの継ぎ目により接合される請求項８記載のリバーシブルな衣服。
【発明の詳細な説明】
【技術分野】
【０００１】
本発明は概してリバーシブル（reversible）な衣服に関する。
【背景技術】
【０００２】
以下の米国特許は当技術の現状を示していると信じられる。
【０００３】
【特許文献１】米国特許第5,029,344号
【特許文献２】米国特許第5,204,995号
【特許文献３】米国特許第6,182,296号
【特許文献４】米国特許第6,345,393号
【発明の開示】
【発明が解決しようとする課題】
【０００４】
本発明は改良したリバーシブル衣服を提供することを目的とする。
【課題を解決するための手段】
【０００５】
本発明の実施例に伴って三枚のボディーパネルを含んだリバーシブル衣服が、二箇所以上の継ぎ目に沿って継ぎ合わされる。三枚以上のボディーパネルのうちの二枚以上は異なる切断面を持っている。さらに、三枚以上のボディーパネルのうちの二枚以上は異なる外観を持っている。
【０００６】
本発明の他の実施例に拠ればその衣服は上面にある。望ましくは、少なくとも三枚のボディーパネルは側面の継ぎ目に沿って組み合わされる。
【発明を実施するための最良の形態】
【０００７】
本発明の好ましい実施例によれば、組み立てられ使用される衣服とその構成用パネルの正面概要図を表す図１Aと、図１A及びその構成パネルの背面概要図を表す図1Bを参照する。
【０００８】
図１Aと図１Bの依頼は、好ましくは、継ぎ目110と112にそって繋がれる多重衣服本板102、104、106、と108より成る。図１Aと図１Bのように、各ボディーパネルは一枚以上の他の板とは異なる継ぎ目を持つ。ボディーパネルの数は二つより多いことが望ましい。
【０００９】
各ボディーパネルの反対側のサイドは一緒に印刷されるか異なる色及び/又はパターンでもよい。示された実施例では、各ボディーパネルの各サイドは  各ボディーパネルの各他のサイドと異なっている。分かりやすく言えば、ボディーパネルの八つの異なるサイドは文字I,II,III,IV,V,VI,VII及びVIIIにより表された例の中でラベルが貼られており、この中で、サイドIとIIはボディーパネル102に対応しており、サイドIIIとサイドIVはボディーパネル104に対応しており、サイドVとサイドVIはボディーパネル106に対応しており、サイドVIIとサイドVIIIはボディーパネル108に対応している。
【００１０】
四つの選択的パネル配列の図１Aと図１Bの衣服の表裏を表している図２Aから図２Dを参照する。ここから衣服のボディーパネルが四通りに組み合わさることが図2Aから図2Dから分かる。２Aの配列について、ボディーパネル102と108は、外側パネルであり、及びボディーパネル104と106は、内側パネルである。
【００１１】
図2Bの配列で、ボディーパネル102と102は外側パネルであり、ボディーパネル106と108は内側パネルである。図2Cの配列で、ボディーパネル106と104は外側パネルであり、ボディーパネル108と102は内側パネルである。図２Dの配列でボディーパネル108と106は外側パネルであり、ボディーパネル102と104は内側パネルである。
【００１２】
六つの異なる着用配列における図2Aのパネル配列の図1Aから図2Dの衣服の表裏を表す図3Aから図3Fを参照する。示された実施例の中で、図2Aに見られるように配列された六つの組み合わせがあり、着られているかを示している。
【００１３】
図3Aは、その衣服が、正面に現れるボディーパネル102のサイドI、背面に現れるボディーパネル108のサイドVIII、ボディーパネル106のサイドVIとボディーパネル104のサイドIVを持ち、正面でボディーパネル102、背面でボディーパネル108、106と104で覆われている形態を示している。
【００１４】
図3Bは、その衣服が、正面に現れるボディーパネル102のサイドIとボディーパネル104のサイドIIIと、背面に現れるボディーパネル108のサイドVIIIとボディーパネル106のサイドVIを有し、正面でボディーパネル102と104、背面でボディーパネル108と106を纏っている形態を示している。
【００１５】
図3Cは、その衣服が、正面に現れるボディーパネル102のサイドIとボディーパネル104のサイドIIIと、ボディーパネル106のサイドVと背面に現れるボディーパネル108のサイドVIIIを有し、正面でボディーパネル102、104と106と背面でボディーパネル108で覆われている形態を示している。
【００１６】
図3Dは、その衣服が、正面に現れるボディーパネル108のサイドVIIIと背面に現れるボディーパネル102のサイドI、ボディーパネル104のサイドIII、ボディーパネル106のサイドVを有し、正面でボディーパネル108と背面でボディーパネル102、104と106で覆われている形態を示している。
【００１７】
図3Eは、その衣服が、正面に現れるボディーパネル108のサイドVIIIとボディーパネル106のサイドVIと背面に現れるボディーパネル102のサイドI、ボディーパネル104のサイドIIIを有し、正面でボディーパネル106とボディーパネル108と背面でボディーパネル102、104で覆われている形態を示している。
【００１８】
図3Fは、その衣服が、正面に現れるボディーパネル108のサイドVIIIとボディーパネル106のサイドVIとボディーパネル104のサイドIVと背面に現れるボディーパネル102のサイドIを有し、正面でボディーパネル108,106,104と背面でボディーパネル102で覆われている形態を示している。
【００１９】
六つの異なる着用配列の図2Ｂのパネルの組み合わせ図1Aから2Dの衣服の表裏を表す図4Aから図4Ｆを参照する。示された実施例の中で、図2Bに見られるように配列された六つの組み合わせで、着られているかを示している。
【００２０】
図4Aは、その衣服が、正面とボディーパネル102のサイドIIに現れるボディーパネル104のIIIと、及び背面に現れるボディーパネル108のサイドVIIIを有し、正面でボディーパネル104と、背面でボディーパネル102、108と106で覆われている形態を示している。
【００２１】
図4Ｂは、その衣服が、正面に現れるボディーパネル104のサイドIIIとボディーパネル106のサイドVと背面に現れるボディーパネル102のサイドIIを有し、正面でボディーパネル104、106、及び108と、背面でボディーパネル102で覆われている形態を示している。
【００２２】
図4Cは、その衣服が、正面に現れるボディーパネル104のサイドIII、ボディーパネル106のサイドVとボディーパネル108のサイドVII、及び背面に現れるボディーパネル102のサイドIIを有し、正面でボディーパネル104、106、及び108と背面でボディーパネル102で覆われている形態を示している。
【００２３】
図4Dは、その衣服が、正面に現れるボディーパネル102のサイドII、背面に現れるボディーパネル104のサイドIII、ボディーパネル106のサイドVとボディーパネル108のサイドVIIを有し、正面でボディーパネル102と背面でボディーパネル104、106と108で覆われている形態を示している。
【００２４】
図4Eは、その衣服が、正面に現れるボディーパネル102のサイドII、ボディーパネル108のサイドVIIIと背面に現れるボディーパネル104のサイドIIIとボディーパネル106のサイドVを有し、正面でボディーパネル102と108と背面でボディーパネル104、106で覆われている形態を示している。
【００２５】
図4Fは、その衣服は、正面に現れるボディーパネル102のサイドII、ボディーパネル108のサイドVIIIと背面に現れるボディーパネル104のサイドIIIを有し、正面でボディーパネル102、108、及び106と背面でボディーパネル104で覆われている形態を示している。
【００２６】
六つの異なる着用配列図2Cのパネル配列内にある図1Aから2Dの衣服の表裏を表す図５Aから図５Ｆを参照する。示された実施例のように、図2Cでどのようにその衣服は六つの配列を持ち覆われているかが分かる。
【００２７】
図５Aは、その衣服は、正面に現れるボディーパネル106のサイドVと背面に現れるボディーパネル104のサイドIVとボディーパネル102のサイドIIと106とボディーパネル108のサイドVIIIを有し正面でボディーパネル106、背面ボディーパネル104,102と108で覆われている形態を示している。
【００２８】
図５Bは、その衣服は、正面に現れるボディーパネル106のサイドVとボディーパネル108のサイドVIIと、背面に現れるボディーパネル104のサイドIVとボディーパネル102のサイドIIを有し、正面でボディーパネル106と108、背面ボディーパネル104,102で覆われている形態を示している。
【００２９】
図５Cは、その衣服は、正面に現れるボディーパネル106のサイドVとボディーパネル108のサイドVIIとボディーパネル102のサイドI、背面に現れるボディーパネル104のサイドIVを有し、正面でボディーパネル106、108、及び102、背面でボディーパネル104で覆われている形態を示している。
【００３０】
図５Dは、その衣服は、正面に現れるボディーパネル104のサイドIV、背面に現れるボディーパネル106のサイドV、ボディーパネル108のサイドVIIと、ボディーパネル102のサイドIを有し、正面でボディーパネル104、背面でボディーパネル104で覆われている形態を示している。
【００３１】
図５Eは、その衣服が、正面に現れるボディーパネル104のサイドIV、背面に現れるボディーパネル106のサイドV、ボディーパネル108のサイドVIIとボディーパネル102のサイドIIを有し、正面でボディーパネル104、背面でボディーパネル104で覆われている形態を示している。
【００３２】
図５Fは、その衣服が、正面に現れるボディーパネル104のサイドIV、ボディーパネル102のサイドIIと、ボディーパネル108のサイドVIIIと、背面に現れるボディーパネル106のサイドVを有し、正面でボディーパネル104、ボディーパネル102と108、背面でボディーパネル106で覆われている形態を示している。
【００３３】
六つの異なる着用配列図2Dに示されるパネル配列内にある図1Aから2Dの衣服の表裏を表す図6Aから図6Ｆを参照する。示された実施例のように、図2Dに示される配列のように、いかにその衣服は六つの配列を持ち、覆われているかが分かる。
【００３４】
図６Aは、その衣服が、正面に現れるボディーパネル108のサイドVIIと、背面に現れるボディーパネル106のサイドIV、ボディーパネル104のサイドIVとボディーパネル102のサイドIIを有し、正面でボディーパネル108、背面でボディーパネル106、104、及びボディーパネル102で覆われている形態を示している。
【００３５】
図６Bは、その衣服が、正面に現れるボディーパネル108のサイドVII、ボディーパネル102のサイドI、背面に現れるボディーパネル106のサイドVI、ボディーパネル104のサイドIVを有し、正面でボディーパネル108と102、背面でボディーパネル106、104で覆われている形態を示している。
【００３６】
図６Cは、その衣服が、正面に現れるボディーパネル108のサイドVIIとボディーパネル102のサイドI、背面に現れるボディーパネル106のサイドVIを有し、正面でボディーパネル102と104、背面でボディーパネル106で覆われている形態を示している。表された実施例で、ボディーパネル104のサイドIIIはボディーパネル108のサイドVIIと、ボディーパネル102のサイドIで覆われていることが留意される。
【００３７】
図６Dは、その衣服が、正面に現れるボディーパネル106のサイドVIとボディーパネル108のサイドVIIと、背面に現れるボディーパネル108のサイドVIIと、ボディーパネル102のサイドIを有し、正面でボディーパネル106、背面でボディーパネル108、102、及び104で覆われている形態を示す。表された実施例で、ボディーパネル104のサイドIIIは、ボディーパネル108のサイドVIIと、ボディーパネル102のサイドIで覆われていることに留意される。
【００３８】
図６Eは、その衣服が、正面に現れるボディーパネル106のサイドVIと、ボディーパネル104のサイドIVと、背面に現れるボディーパネル108のサイドVII、及びボディーパネル102のサイドIを有し、正面でボディーパネル106と104と、背面でボディーパネル108、102で覆われている形態を示す。
【００３９】
図６Fは、その衣服が、正面に現れるボディーパネル106のサイドVIとボディーパネル104のサイドIVとボディーパネル102のサイドII、及び背面に現れるボディーパネル108のサイドVIIを有し、正面でボディーパネル106、104、及び102、背面でボディーパネル108で覆われている形態を示している。
【００４０】
本発明はここの上記に述べられたものに限定されないと当業者により認識される。むしろ、本発明の範囲は上記に述べられた様々な特徴の組み合わせ、及び補足的な組合わせを含み、及び明細書を読んだ当業者がする従来技術の中にない変更と修正を含んでいる。
【００４１】
本発明は図面に関連した以下の詳細な記述により理解され、認識される。
【図面の簡単な説明】
【００４２】
【図１Ａ】本発明の好ましい実施例に伴い組み立てられ使用される衣服とその構成用パネルの正面概要図。
【図１Ｂ】本発明の好ましい実施例に伴い組み立てられ使用される衣服とその構成用パネルの背面概要図。
【図２Ａ】四つの選択可能な配列の図１と図２の衣服の正面図と背面図。
【図２Ｂ】四つの選択可能な配列の図１と図２の衣服の正面図と背面図。
【図２Ｃ】四つの選択可能な配列の図１と図２の衣服の正面図と背面図。
【図２Ｄ】四つの選択可能な配列の図１と図２の衣服の正面図と背面図。
【図３Ａ】六つの異なる着用配列の中の２Aのパネル配列した図１Aから図２Dの衣服の正面図と背面図。
【図３Ｂ】六つの異なる着用配列の中の２Aのパネル配列した図１Aから図２Dの衣服の正面図と背面図。
【図３Ｃ】六つの異なる着用配列の中の２Aのパネル配列した図１Aから図２Dの衣服の正面図と背面図。
【図３Ｄ】六つの異なる着用配列の中の２Aのパネル配列した図１Aから図２Dの衣服の正面図と背面図。
【図３Ｅ】六つの異なる着用配列の中の２Aのパネル配列した図１Aから図２Dの衣服の正面図と背面図。
【図３Ｆ】六つの異なる着用配列の中の２Aのパネル配列した図１Aから図２Dの衣服の正面図と背面図。
【図４Ａ】六つの異なる着用配列の中の２Bのパネル配列した図１Aから図２Dの衣服の正面図と背面図。
【図４Ｂ】六つの異なる着用配列の中の２Bのパネル配列した図１Aから図２Dの衣服の正面図と背面図。
【図４Ｃ】六つの異なる着用配列の中の２Bのパネル配列した図１Aから図２Dの衣服の正面図と背面図。
【図４Ｄ】六つの異なる着用配列の中の２Bのパネル配列した図１Aから図２Dの衣服の正面図と背面図。
【図４Ｅ】六つの異なる着用配列の中の２Bのパネル配列した図１Aから図２Dの衣服の正面図と背面図。
【図４Ｆ】六つの異なる着用配列の中の２Bのパネル配列した図１Aから図２Dの衣服の正面図と背面図。
【図５Ａ】六つの異なる着用配列の中の２Cのパネル配列した図１Aから図２Dの衣服の正面図と背面図。
【図５Ｂ】六つの異なる着用配列の中の２Cのパネル配列した図１Aから図２Dの衣服の正面図と背面図。
【図５Ｃ】六つの異なる着用配列の中の２Cのパネル配列した図１Aから図２Dの衣服の正面図と背面図。
【図５Ｄ】六つの異なる着用配列の中の２Cのパネル配列した図１Aから図２Dの衣服の正面図と背面図。
【図５Ｅ】六つの異なる着用配列の中の２Cのパネル配列した図１Aから図２Dの衣服の正面図と背面図。
【図５Ｆ】六つの異なる着用配列の中の２Cのパネル配列した図１Aから図２Dの衣服の正面図と背面図。
【図６Ａ】六つの異なる着用配列の中の２Dのパネル配列した図１Aから図２Dの衣服の正面図と背面図。
【図６Ｂ】六つの異なる着用配列の中の２Dのパネル配列した図１Aから図２Dの衣服の正面図と背面図。
【図６Ｃ】六つの異なる着用配列の中の２Dのパネル配列した図１Aから図２Dの衣服の正面図と背面図。
【図６Ｅ】六つの異なる着用配列の中の２Dのパネル配列した図１Aから図２Dの衣服の正面図と背面図。
【図６Ｆ】六つの異なる着用配列の中の２Dのパネル配列した図１Aから図２Dの衣服の正面図と背面図。
【図１Ａ】
2007504367.tif 000003
【図１Ｂ】
2007504367.tif 000004
【図２Ａ】
2007504367.tif 000005
【図２Ｂ】
2007504367.tif 000006
【図２Ｃ】
2007504367.tif 000007
【図２Ｄ】
2007504367.tif 000008
【図３Ａ】
2007504367.tif 000009
【図３Ｂ】
2007504367.tif 000010
【図３Ｃ】
2007504367.tif 000011
【図３Ｄ】
2007504367.tif 000012
【図３Ｅ】
2007504367.tif 000013
【図３Ｆ】
2007504367.tif 000014
【図４Ａ】
2007504367.tif 000015
【図４Ｂ】
2007504367.tif 000016
【図４Ｃ】
2007504367.tif 000017
【図４Ｄ】
2007504367.tif 000018
【図４Ｅ】
2007504367.tif 000019
【図４Ｆ】
2007504367.tif 000020
【図５Ａ】
2007504367.tif 000021
【図５Ｂ】
2007504367.tif 000022
【図５Ｃ】
2007504367.tif 000023
【図５Ｄ】
2007504367.tif 000024
【図５Ｅ】
2007504367.tif 000025
【図５Ｆ】
2007504367.tif 000026
【図６Ａ】
2007504367.tif 000027
【図６Ｂ】
2007504367.tif 000028
【図６Ｃ】
2007504367.tif 000029
【図６Ｄ】
2007504367.tif 000030
【図６Ｅ】
2007504367.tif 000031
【図６Ｆ】
2007504367.tif 000032
【国際調査報告】
2007504367.tif 000033